(57)【要約】【課題】水槽内の電気製品の配線を省略することができる上、防水を完全に行い、導電接点が露出されずに組立が容易な長所を有し、水槽の見た目を向上する、水槽の無線給電装置を提供する。【解決手段】水槽２００の無線給電装置１００は、電源装置１０、第１のハウジング２０、無線電力供給ユニット、第２のハウジング４０、無線受電ユニット及び負荷装置６０を備える。第１のハウジング２０は、外方へ設けられた少なくとも１つの第１の固定部材を一側に有し、第１の固定部材を介して水槽２００の外側に配設される。無線電力供給ユニットは、第１のハウジング２０に設けられるとともに、電気エネルギを電磁場へ変換する第１の誘導コイルを含む。第１の誘導コイルは、電源装置１０と電気的に接続される。第２のハウジング４０は、外方へ設けられる少なくとも１つの第２の固定部材を一側に有する。【選択図】図２
0003207135.tif 000002
【実用新案登録請求の範囲】
【請求項１】
電源装置、第１のハウジング、無線電力供給ユニット、第２のハウジング、無線受電ユニット及び負荷装置を備えた水槽の無線給電装置であって、
前記第１のハウジングは、外方へ設けられた少なくとも１つの第１の固定部材を一側に有し、前記第１の固定部材を介して水槽の外側に配設され、
前記無線電力供給ユニットは、前記第１のハウジングに設けられるとともに、電気エネルギを電磁場へ変換する第１の誘導コイルを含み、前記第１の誘導コイルは、前記電源装置と電気的に接続され、
前記第２のハウジングは、外方へ設けられる少なくとも１つの第２の固定部材を一側に有し、前記第２の固定部材を介して水槽の内側に配設され、
前記無線受電ユニットは、前記第２のハウジング内に配設されるとともに、第２の誘導コイルを含み、前記第２の誘導コイルは、完全封止材料により覆われるとともに、前記無線電力供給ユニットの電磁場を電気エネルギへ変換し、
前記負荷装置は、前記無線受電ユニットの前記第２の誘導コイルと電気的に接続され、
前記無線電力供給ユニットは、前記電源装置から電源が供給され、前記電源の電気エネルギを前記無線電力供給ユニットの前記第１の誘導コイルを介して前記無線電力供給ユニットの前記第２の誘導コイルへ伝送し、前記負荷装置へ供給することを特徴とする水槽の無線給電装置。
【請求項２】
前記負荷装置はランプであることを特徴とする請求項１に記載の水槽の無線給電装置。
【請求項３】
前記負荷装置はポンプであることを特徴とする請求項１に記載の水槽の無線給電装置。
【請求項４】
前記第１のハウジングは、少なくとも１つの第１の凹槽を有し、
前記第１の凹槽には、前記第１の固定部材が配設され、
前記第１の固定部材は磁石であることを特徴とする請求項１に記載の水槽の無線給電装置。
【請求項５】
前記第２のハウジングは、少なくとも１つの第２の凹槽を有し、
前記第２の凹槽には、前記第２の固定部材が配設され、
前記第２の固定部材は磁石であることを特徴とする請求項１に記載の水槽の無線給電装置。
【考案の詳細な説明】
【技術分野】
【０００１】
本考案は、無線給電装置に関し、特に、水槽の無線給電装置に関する。
【背景技術】
【０００２】
エアポンプを例にとると、従来のエアポンプは水槽に応用される。エアポンプはハウジングを含み、ハウジング内にはポンプが配設される。ポンプには、吸気管及び排気管が設けられる。吸気管及び排気管は、ポンプと連通する。ポンプは、電源ケーブルを介してプラグ受けに接続される。この構成により、水槽に注水した後、エアポンプを水槽内に設置し、エアポンプの電源ケーブルをプラグ受けに接続し、ポンプを起動して負圧を発生させ、吸気管を介して空気をポンプへ吸入し、ポンプ自身の負圧により、排気管から空気を排出して水槽内へ空気を送り込む。
【０００３】
すでに一部のメーカにより改良型水槽用エアポンプが開発されている。この改良型水槽用エアポンプの構造は、前述のエアポンプと同じであり、ここでは詳述しないが、水槽用エアポンプには二次電池が設けられている。水槽用エアポンプを起動すると、二次電池が同時に充電されるため、給電が停止しても水槽用エアポンプが正常な動作を続ける。しかし、水槽用エアポンプを作動させるには、電源ケーブルをプラグ受けに接続しなければならず、その他の水槽設備が増えると、それに伴って電源ケーブルの数も増えてしまうため、組立及び配線を行うのが不便である上、収納できずに見た目に悪影響を与え、最悪の場合、水槽に漏電が発生する虞もあった。
【考案の概要】
【考案が解決しようとする課題】
【０００４】
本考案の主な目的は、無線電力供給ユニットの第１の誘導コイルから無線電力供給ユニットの第２の誘導コイルへ電力を伝送して負荷装置へ供給するため、水槽内の電気製品の配線を省略することができる上、防水を完全に行い、導電接点が露出されずに組立が容易な長所を有し、水槽の見た目を向上する、水槽の無線給電装置を提供することにある。
【図面の簡単な説明】
【０００５】
【図１】本考案の一実施形態に係る水槽の無線給電装置を示すブロック図である。
【図２】本考案の第１実施形態に係る水槽の無線給電装置を示す斜視図である。
【図３】本考案の第１実施形態に係る水槽の無線給電装置の第１のハウジング及び第２のハウジングを示す部分拡大図である。
【図４】本考案の第１実施形態に係る水槽の無線給電装置の使用状態の説明図である。
【図５】本考案の第２実施形態に係る水槽の無線給電装置の使用状態の説明図である。
【考案を実施するための形態】
【０００６】
（第１実施形態）
図１〜図３を参照する。図１は、本考案の一実施形態に係る水槽の無線給電装置を示すブロック図である。図２は、本考案の第１実施形態に係る水槽の無線給電装置を示す斜視図である。図３は、本考案の第１実施形態に係る水槽の無線給電装置の第１のハウジング及び第２のハウジングを示す部分拡大図である。図１〜図３に示すように、本考案の第１実施形態に係る水槽の無線給電装置１００は、水槽２００に応用することができる。
【０００７】
図１〜図３に示すように、本考案の第１実施形態に係る水槽の無線給電装置１００は、少なくとも電源装置１０、第１のハウジング２０、無線電力供給ユニット３０、第２のハウジング４０、無線受電ユニット５０及び負荷装置６０から構成されてなる。
【０００８】
電源装置１０は、プラグ受け３００に挿入される電源プラグである。
【０００９】
第１のハウジング２０は、外方へ設けられた４つの第１の固定部材２１を一側に有する。第１のハウジング２０は、４つの第１の凹槽２２を有する。第１の凹槽２２には、第１の固定部材２１がそれぞれ配設される。第１のハウジング２０は、第１の固定部材２１を介して水槽２００の外側に配設される。各第１の固定部材２１には、磁石がそれぞれ設けられる。
【００１０】
無線電力供給ユニット３０は、第１のハウジング２０に配設される。無線電力供給ユニット３０は、電気エネルギを電磁場へ変換する第１の誘導コイル３１を含む。第１の誘導コイル３１は、電源装置１０と電気的に接続される。
【００１１】
第２のハウジング４０は、外方へ設けられた４つの第２の固定部材４１を一側に有する。第２のハウジング４０は、４つの第２の凹槽４２を有する。第２の凹槽４２には、第２の固定部材４１がそれぞれ配設される。第２のハウジング４０は、第２の固定部材４１を介して水槽２００の内側に配設される。各第２の固定部材４１は磁石である。
【００１２】
無線受電ユニット５０は、第２のハウジング４０内に配設される。無線受電ユニット５０は、第２の誘導コイル５１を含む。第２の誘導コイル５１は、完全封止材料により覆われて防水効果を得る。また、無線受電ユニット５０は、第２の誘導コイル５１を介して受け取った無線電力供給ユニット３０の電磁場を電気エネルギへ変換する。
【００１３】
負荷装置６０は、無線受電ユニット５０の第２の誘導コイル５１と電気的に接続される。第１実施形態において、負荷装置６０はポンプである。
【００１４】
図１〜図４を参照する。図１〜図４に示すように、本考案の第１実施形態に係る水槽の無線給電装置１００の無線電力供給ユニット３０及び無線受電ユニット５０は、第１のハウジング２０及び第２のハウジング４０の磁石を介し、水槽２００の外側及び内側に固定される。無線給電装置１００の電源装置１０は、プラグ受け３００と電気的に接続される。この構成により、プラグ受け３００の電気エネルギは、無線電力供給ユニット３０の第１の誘導コイル３１を推動して電磁場を発生させ、近磁界誘導技術を利用し、無線電力供給ユニット３０の第１の誘導コイル３１と無線受電ユニット５０の第２の誘導コイル５１とが誘導結合される。そのため、電線を使用しなくとも、無線電力供給ユニット３０の第１の誘導コイル３１のエネルギを無線受電ユニット５０の第２の誘導コイル５１へ無線伝送して電気エネルギへ変換し、負荷装置６０へ供給することができる。
【００１５】
図３及び図４を参照する。図３は、本考案の第１実施形態に係る水槽の無線給電装置の第１のハウジング及び第２のハウジングを示す部分拡大図である。図４は、本考案の第１実施形態に係る水槽の無線給電装置の使用状態の説明図である。図３及び図４に示すように、本考案の第１実施形態に係る水槽の無線給電装置の第２のハウジング４０、無線受電ユニット５０及びポンプは、水槽２００の水面下に配設される。無線給電装置１００及びポンプを起動すると、無線受電ユニット５０の第２の誘導コイル５１が完全封止材料で覆われているため、無線受電ユニット５０の第２の誘導コイル５１が水面下にあっても完全に防水され、無線受電ユニット５０の第２の誘導コイル５１が導電接点が露出されていないため、水槽２００中で漏電が起きて水槽２００内の生体に害を与える虞がない上、水槽の見た目を向上させることができる。
【００１６】
（第２実施形態）
図５を参照する。図５は、本考案の第２実施形態に係る水槽の無線給電装置の使用状態の説明図である。図５に示すように、本考案の第２実施形態に係る水槽の無線給電装置の負荷装置７０はランプである。無線電力供給ユニット３０から無線受電ユニット５０に無線給電され、水槽２００内の無線電力供給ユニット３０と無線受電ユニット５０との間の配線を省略することができるため、水槽２００の見た目が向上し、第１のハウジング２０の第１の固定部材２１と第２のハウジング４０の第２の固定部材４１とを磁気吸引式で固定し、容易に取り付けて位置を調整することができる。
【符号の説明】
【００１７】
１０  電源装置
２０  第１のハウジング
２１  第１の固定部材
２２  第１の凹槽
３０  無線電力供給ユニット
３１  第１の誘導コイル
４０  第２のハウジング
４１  第２の固定部材
４２  第２の凹槽
５０  無線受電ユニット
５１  第２の誘導コイル
６０  負荷装置
７０  負荷装置
１００  無線給電装置
２００  水槽
３００  プラグ受け
【図１】
0003207135.tif 000003
【図２】
0003207135.tif 000004
【図３】
0003207135.tif 000005
【図４】
0003207135.tif 000006
【図５】
0003207135.tif 000007